【手続補正書】
【提出日】令和1年6月3日(2019.6.3)
【手続補正１】
【補正対象書類名】特許請求の範囲
【補正対象項目名】全文
【補正方法】変更
【補正の内容】
【特許請求の範囲】
【請求項１】
ビデオデータのブロックを復号する方法であって、
N+M個のイントラ予測モードの中から、ビデオデータの前記ブロックのイントラ予測のためのM個の最確モード、MPMを導出するステップであって、Mが3より大きい、ステップと、
ビデオデータの前記ブロックのイントラ予測のための前記複数のイントラ予測モードのうちの選択されたイントラ予測モードを示すためにMPMインデックスが使用されるか非MPMインデックスが使用されるかを示すシンタックス要素を復号するステップであって、前記MPMインデックスが、ビデオデータの前記ブロックのイントラ予測のための前記M個のMPMのうちのいずれが前記選択されたイントラ予測モードであるかを示し、前記非MPMインデックスが、ビデオデータの前記ブロックのイントラ予測のための前記M個のMPM以外の前記N+M個のイントラ予測モードのうちのいずれが前記選択されたイントラ予測モードであるかを示す、ステップと、
前記非MPMインデックスが前記選択されたイントラ予測モードを示すことに基づいて、前記非MPMインデックスを復号するステップであって、前記非MPMインデックスが前記N+M個のイントラ予測モードのX個の選択された非MPMインデックスのうちの1つである場合には
【数１】
2018523373.tif 000001
ビットより短い符号語としてビットストリームにおいて符号化され、それ以外の場合には、前記非MPMインデックスが
【数２】
2018523373.tif 000002
ビットを有する固定長符号として前記ビットストリームにおいて符号化され、Xが整数であり、全体でN個の前記非MPMインデックスの利用可能な値がある、ステップと、
前記選択されたイントラ予測モードに基づいてビデオデータの前記ブロックを再構築するステップとを備える、方法。
【請求項２】
ビデオデータの前記ブロックが前記ビデオデータの現在のピクチャの中の現在のコーディング単位(CU)であり、
ビデオデータの前記ブロックのための前記選択されたイントラ予測モードが、前記現在のCUの現在の予測単位(PU)のための選択されたイントラ予測モードであり、
ビデオデータの前記ブロックを再構築するステップが、
前記選択されたイントラ予測モードを使用して前記現在のPUの予測ブロックを生成するステップと、
前記CUのPUの前記予測ブロックのサンプルを、前記現在のCUの変換単位(TU)の変換ブロックの対応するサンプルに加算することによって、残差値を使用して前記現在のCUを再構築するステップと
を備える、請求項1に記載の方法。
【請求項３】
前記X個の選択された非MPMインデックスが、前記N+M個のイントラ予測モードの最初のX個の非MPMインデックス、または前記N+M個のイントラ予測モードの最後のX個の非MPMインデックスのいずれかである、請求項1に記載の方法。
【請求項４】
ビデオデータの前記ブロックが第1のブロックであり、前記方法が
前記N+M個のイントラ予測モードの中から、前記ビデオデータの第2のブロックのイントラ予測のためのM個の最確モード(MPM)を導出するステップと、
ビデオデータの前記第2のブロックのイントラ予測のための前記複数のイントラ予測モードのうちの第2の選択されたイントラ予測モードを示すために第2のMPMインデックスが使用されるか第2の非MPMインデックスが使用されるかを示す第2のシンタックス要素を復号するステップであって、前記第2のMPMインデックスが、ビデオデータの前記第2のブロックのイントラ予測のための前記M個のMPMのうちのいずれが前記第2の選択されたイントラ予測モードであるかを示し、前記第2の非MPMインデックスが、ビデオデータの前記第2のブロックのイントラ予測のための前記M個のMPM以外の前記複数のイントラ予測モードのうちのいずれが前記第2の選択されたイントラ予測モードであるかを示す、ステップと、
前記第2の非MPMインデックスが前記第2の選択されたイントラ予測モードを示すことに基づいて、前記第2の非MPMインデックスを復号するステップであって、前記第2の非MPMインデックスがビデオデータの前記第2のブロックのイントラ予測のための前記M個のMPM以外の前記複数のイントラ予測モードの第2のX個の選択された非MPMインデックスのうちの1つではないことに基づいて、前記第2の非MPMインデックスが
【数３】
2018523373.tif 000003
ビットを有する固定長符号として前記ビットストリームにおいて符号化されると決定するステップを備え、前記第2のXが整数である、ステップと、
前記第2の選択されたイントラ予測モードに基づいてビデオデータの前記第2のブロックを再構築するステップとをさらに備える、請求項1に記載の方法。
【請求項５】
前記シンタックス要素が第1のシンタックス要素であり、前記方法が、
前記非MPMインデックスが使用されることを示す前記第1のシンタックス要素に基づいて、前記非MPMインデックスが水平イントラモードまたは垂直イントラモードのうちの1つを参照するかどうかを示す第2のシンタックス要素を前記ビットストリームから復号するステップをさらに備える、請求項1に記載の方法。
【請求項６】
Mが、コーディング単位サイズと予測単位サイズのうちの1つに依存する、請求項1に記載の方法。
【請求項７】
ビデオデータのブロックを符号化する方法であって、
N+M個のイントラ予測モードの中から、ビデオデータの前記ブロックのイントラ予測のためのM個の最確モード(MPM)を導出するステップであって、Mが3より大きい、ステップと、
ビデオデータの前記ブロックのイントラ予測のための前記複数のイントラ予測モードのうちの選択されたイントラ予測モードを示すためにMPMインデックスが使用されるか非MPMインデックスが使用されるかを示すシンタックス要素を符号化するステップであって、前記MPMインデックスは、ビデオデータの前記ブロックのイントラ予測のための前記M個のMPMのいずれが前記選択されたイントラ予測モードであるかを示し、前記非MPMインデックスがビデオデータの前記ブロックのイントラ予測のための前記M個のMPM以外の前記N+M個のイントラ予測モードのいずれが前記選択されたイントラ予測モードであるかを示す、ステップと、
前記選択されたイントラ予測モードを示すために前記非MPMが使用されることを示す前記シンタックス要素に基づいて、前記非MPMインデックスを符号化するステップであって、前記非MPMインデックスが前記N+M個のイントラ予測モードのX個の選択された非MPMインデックスのうちの1つである場合には、前記非MPMインデックスが
【数４】
2018523373.tif 000004
ビットより短い符号語として符号化され、それ以外の場合には、
【数５】
2018523373.tif 000005
ビットを有する固定長符号として符号化され、Xが整数であり、全体でN個の前記非MPMインデックスの利用可能な値がある、ステップと、
前記選択されたイントラ予測モードに基づいてビデオデータの前記ブロックを符号化するステップとを備える、方法。
【請求項８】
ビデオデータの前記ブロックが前記ビデオデータの現在のピクチャの中の現在のコーディング単位(CU)であり、
ビデオデータの前記ブロックのための前記選択されたイントラ予測モードが、前記現在のCUの現在の予測単位(PU)のための選択されたイントラ予測モードであり、
ビデオデータの前記ブロックを符号化するステップが、
前記選択されたイントラ予測モードを使用して前記PUの予測ブロックを生成するステップと、
前記現在のCUと前記予測ブロックとの間のピクセル差分を表す残差データを生成するステップと
を備える、請求項7に記載の方法。
【請求項９】
前記X個の選択された非MPMインデックスが、前記N+M個のイントラ予測モードの最初のX個の非MPMインデックス、または前記N+M個のイントラ予測モードの最後のX個の非MPMインデックスのいずれかである、請求項7に記載の方法。
【請求項１０】
ビデオデータの前記ブロックがビデオデータの第1のブロックであり、
前記複数のイントラ予測モードの中から、ビデオデータの第2のブロックのイントラ予測のためのM個の最確モード(MPM)を導出するステップであって、Mが3より大きい、ステップと、
ビデオデータの前記第2のブロックのイントラ予測のための前記複数のイントラ予測モードのうちの第2の選択されたイントラ予測モードを示すために第2のMPMインデックスが使用されるか第2の非MPMインデックスが使用されるかを示す第2のシンタックス要素を符号化するステップと、
前記非MPMインデックスが前記第2の選択されたイントラ予測モードを示すために使用されることを示す前記第2のシンタックス要素に基づいて、前記第2の非MPMインデックスを符号化するステップであって、前記第2の非MPMインデックスがビデオデータの前記第2のブロックのイントラ予測のための前記M個のMPM以外の前記複数のイントラ予測モードの第2のX個の選択された非MPMインデックスのうちの1つではないことに基づいて、前記第2の非MPMインデックスが
【数６】
2018523373.tif 000006
ビットを有する固定長符号としてビットストリームにおいて符号化され、前記第2のXが整数である、ステップと、
前記選択されたイントラ予測モードに基づいてビデオデータの前記第2のブロックを符号化するステップとを備える、請求項7に記載の方法。
【請求項１１】
前記シンタックス要素が第1のシンタックス要素であり、前記方法が、
ビデオデータの前記ブロックのための前記選択されたイントラ予測モードを示すために前記非MPMインデックスが使用されることを示す前記第1のシンタックス要素に基づいて、前記非MPMインデックスが水平イントラモードまたは垂直イントラモードのうちの1つを参照するかどうかを示す第2のシンタックス要素を符号化するステップをさらに備える、請求項7に記載の方法。
【請求項１２】
Mが、コーディング単位サイズと予測単位サイズのうちの1つに依存する、請求項7に記載の方法。
【請求項１３】
ビデオデータのブロックを復号するためのデバイスであって、
前記ビデオデータを記憶するように構成されるメモリと、
1つまたは複数のプロセッサとを備え、前記1つまたは複数のプロセッサが、
N+M個のイントラ予測モードの中から、ビデオデータの前記ブロックのイントラ予測のためのM個の最確モード(MPM)を導出することであって、Mが3より大きい、導出することと、
ビデオデータの前記ブロックのイントラ予測のための前記複数のイントラ予測モードのうちの選択されたイントラ予測モードを示すためにMPMインデックスが使用されるか非MPMインデックスが使用されるかを示すシンタックス要素を復号することであって、前記MPMインデックスが、ビデオデータの前記ブロックのイントラ予測のための前記M個のMPMのうちのいずれが前記選択されたイントラ予測モードであるかを示し、前記非MPMインデックスが、ビデオデータの前記ブロックのイントラ予測のための前記M個のMPM以外の前記N+M個のイントラ予測モードのうちのいずれが前記選択されたイントラ予測モードであるかを示す、復号することと、
前記非MPMインデックスが前記選択されたイントラ予測モードを示すことに基づいて、前記非MPMインデックスを復号することであって、前記非MPMインデックスが前記N+M個ののイントラ予測モードのX個の選択された非MPMインデックスのうちの1つである場合には
【数７】
2018523373.tif 000007
ビットより短い符号語としてビットストリームにおいて符号化され、それ以外の場合には、前記非MPMインデックスが
【数８】
2018523373.tif 000008
ビットを有する固定長符号として前記ビットストリームにおいて符号化され、Xが整数であり、全体でN個の前記非MPMインデックスの利用可能な値がある、復号することと、
前記選択されたイントラ予測モードに基づいてビデオデータの前記ブロックを再構築することと
を行うように構成される、デバイス。
【請求項１４】
ビデオデータのブロックを符号化するためのデバイスであって、
前記ビデオデータを記憶するように構成されるメモリと、
1つまたは複数のプロセッサとを備え、前記1つまたは複数のプロセッサが、
N+M個のイントラ予測モードの中から、ビデオデータの前記ブロックのイントラ予測のためのM個の最確モード(MPM)を導出することであって、Mが3より大きい、導出することと、
ビデオデータの前記ブロックのイントラ予測のための前記複数のイントラ予測モードのうちの選択されたイントラ予測モードを示すためにMPMインデックスが使用されるか非MPMインデックスが使用されるかを示すシンタックス要素を符号化することであって、前記MPMインデックスが、ビデオデータの前記ブロックのイントラ予測のための前記M個のMPMのうちのいずれが前記選択されたイントラ予測モードであるかを示し、前記非MPMインデックスが、ビデオデータの前記ブロックのイントラ予測のための前記M個のMPM以外の前記N+M個のイントラ予測モードのうちのいずれが前記選択されたイントラ予測モードであるかを示すことと、
前記非MPMインデックスが前記選択されたイントラ予測モードを示すために使用されることを示す前記シンタックス要素に基づいて、前記非MPMインデックスを符号化することであって、前記非MPMインデックスが前記N+M個のイントラ予測モードのX個の選択された非MPMインデックスのうちの1つである場合には
【数９】
2018523373.tif 000009
ビットより短い符号語として符号化され、それ以外の場合には、前記非MPMインデックスが
【数１０】
2018523373.tif 000010
ビットを有する固定長符号として符号化され、Xが整数であり、全体でN個の前記非MPMインデックスの利用可能な値があることと、
前記選択されたイントラ予測モードに基づいてビデオデータの前記ブロックを符号化することとを備える、デバイス。
【請求項１５】
命令を記憶するコンピュータ可読媒体であって、前記命令が、1つまたは複数のプロセッサによって実行されると、前記1つまたは複数のプロセッサに、
N+M個のイントラ予測モードの中から、ビデオデータのブロックのイントラ予測のためのM個の最確モード(MPM)を導出することであって、Mが3より大きい、導出することと、
ビデオデータの前記ブロックのイントラ予測のための前記複数のイントラ予測モードのうちの選択されたイントラ予測モードを示すためにMPMインデックスが使用されるか非MPMインデックスが使用されるかを示すシンタックス要素をコーディングすることであって、前記MPMインデックスが、ビデオデータの前記ブロックのイントラ予測のための前記M個のMPMのうちのいずれが前記選択されたイントラ予測モードであるかを示し、前記非MPMインデックスが、ビデオデータの前記ブロックのイントラ予測のための前記M個のMPM以外の前記N+M個のイントラ予測モードのうちのいずれが前記選択されたイントラ予測モードであるかを示す、コーディングすることと、
前記非MPMインデックスが前記選択されたイントラ予測モードを示すために使用されることを示す前記シンタックス要素に基づいて、前記非MPMインデックスをコーディングすることであって、前記非MPMインデックスが前記N+M個のイントラ予測モードのX個の選択された非MPMインデックスのうちの1つである場合には
【数１１】
2018523373.tif 000011
ビットより短い符号語としてビットストリームにおいて符号化され、それ以外の場合には、前記非MPMインデックスが
【数１２】
2018523373.tif 000012
ビットを有する固定長符号として前記ビットストリームにおいて符号化され、Xが整数であり、全体でN個の前記非MPMインデックスの利用可能な値がある、コーディングすることと、
前記選択されたイントラ予測モードに基づいてビデオデータの前記ブロックをコーディングすることとを行わせる、コンピュータ可読媒体。